(57)【要約】【課題】  自転車を分解することなく、カセットスプロケットやディレイラー、チェーン等の自転車部品を、タイヤやホイール、フレーム等を汚すことなく洗浄することができる洗浄カバーを提供する。【解決手段】  本発明の洗浄カバー１は、カバー本体２が扇形状をなす薄板部材で構成され、カバー本体２の弧部３と反対側に位置するカバー本体２の中心部４の近傍に、カバー本体２の一辺５又は他辺７から内側に向かって車軸挿通路６が形成されていることを特徴とする。【選択図】図１
2018192854.tif 000002
【特許請求の範囲】
【請求項１】
カバー本体が扇形状をなす薄板部材で構成され、
前記カバー本体の弧部と反対側に位置する前記カバー本体の中心部の近傍に、前記カバー本体の一辺又は他辺から内側に向かって車軸挿通路が形成されていることを特徴とする洗浄カバー。
【請求項２】
前記車軸挿通路を閉鎖するための閉鎖片を備えることを特徴とする請求項１に記載の洗浄カバー。
【請求項３】
前記車軸挿通路の終端部に、前記車軸挿通路の幅より幅広の係止部を備えることを特徴とする請求項１又は請求項２に記載の洗浄カバー。
【請求項４】
前記カバー本体の弧部に沿って汚れ受部を備えることを特徴とする請求項１から請求項３の何れかに記載の洗浄カバー。
【請求項５】
前記カバー本体の半径方向に沿って複数の凸条又は凹溝を備えることを特徴とする請求項１から請求項４の何れかに記載の洗浄カバー。
【発明の詳細な説明】
【技術分野】
【０００１】
本発明は、自転車のカセットスプロケットやディレイラー、チェーン等を、自転車を分解することなく洗浄することを可能とする洗浄カバーに関する。
【背景技術】
【０００２】
自転車のカセットスプロケットやディレイラー、チェーンといった自転車部品をスプレー式洗浄剤で洗浄したり、これらの自転車部品に潤滑油を塗布したりする際、自転車を分解せずに作業を行うとタイヤのリムやスポーク、フレーム等を洗浄剤や潤滑油で汚してしまうため、従来は自転車を分解した上で自転車部品の洗浄作業等を行っていた。
【０００３】
また、自転車チェーンの清掃具（例えば、特許文献１参照。）や、自動車用ではあるが、タイヤをスプレー式洗浄剤で洗浄する際に洗浄剤によるホイールの汚れを防止するカバーは種々開示されている（例えば、特許文献２及び特許文献３参照。）。
【先行技術文献】
【特許文献】
【０００４】
【特許文献１】実用新案登録第３０７７６６４号公報
【特許文献２】特開２００５−１６４１号公報
【特許文献３】特開２００３−２５９７４号公報
【発明の概要】
【発明が解決しようとする課題】
【０００５】
特許文献１に記載された清掃具のように、自転車のチェーンに取り付けて自転車を分解することなくチェーンを清掃することができるものは開示されている。しかし、自転車を分解することなく、カセットスプロケットやディレイラーを洗浄することができるものはなく、自転車を分解せずに、タイヤのリムやスポーク、フレーム等を汚すことなくカセットスプロケット等の自転車部品を洗浄することができるものが求められていた。
【０００６】
また、特許文献２や特許文献３に記載されているカバー等は自動車用である。従って、カセットスプロケットやディレイラーが配設されている自転車の後輪部分は構造が複雑であるため、そのまま自転車に適用することはできない。
【０００７】
そこで本願発明者は、上記の問題点に鑑み、自転車を分解することなく、カセットスプロケットやディレイラー、チェーン等の自転車部品を、タイヤやホイール、フレーム等を汚すことなく洗浄することができる洗浄カバーを提供するべく鋭意検討を重ねた結果、本発明に至ったのである。
【課題を解決するための手段】
【０００８】
即ち、本発明の洗浄カバーは、カバー本体が扇形状をなす薄板部材で構成され、前記カバー本体の弧部と反対側に位置する前記カバー本体の中心部の近傍に、前記カバー本体の一辺又は他辺から内側に向かって車軸挿通路が形成されていることを特徴とする。
【０００９】
また、本発明の洗浄カバーにおいて、前記車軸挿通路を閉鎖するための閉鎖片を備えることを特徴とする。
【００１０】
更に、本発明の洗浄カバーにおいて、前記車軸挿通路の終端部に、前記車軸挿通路の幅より幅広の係止部を備えることを特徴とする。
【００１１】
また、本発明の洗浄カバーにおいて、前記カバー本体の弧部に沿って汚れ受部を備えることを特徴とする。
【００１２】
更にまた、本発明の洗浄カバーにおいて、前記カバー本体の半径方向に沿って複数の凸条又は凹溝を備えることを特徴とする。
【発明の効果】
【００１３】
本発明の洗浄カバーによると、自転車を分解することなく、カセットスプロケットやディレイラーといった自転車部品を、ホイールや後輪を洗浄剤等で汚すことなく容易に洗浄することができる。
【００１４】
また、本発明の洗浄カバーにおいて、車軸挿通路を閉鎖するための閉鎖片を備えることによって、自転車部品の洗浄中に洗浄カバーが車軸から外れてしまうことを防止できると共に、車軸挿通路から露出するホイールが洗浄剤等によって汚れてしまうことを防止できる。
【００１５】
更に、本発明の洗浄カバーにおいて、車軸挿通路の終端部に、車軸挿通路の幅より幅広の係止部を備えることによって、洗浄カバーを自転車に装着した際、車軸が係止部によって位置決めされるため、自転車部品の洗浄時に洗浄カバーが位置ズレを起こしにくくなり、洗浄作業をより効率的に行うことができる。
【００１６】
また、本発明の洗浄カバーにおいて、カバー本体の弧部に沿って汚れ受部を備えることによって、洗浄剤や洗浄剤によって自転車部品から除去された汚れを汚れ受部で受けることができ、床面を汚すことがない。
【００１７】
更にまた、本発明の洗浄カバーにおいて、カバー本体の半径方向に沿って複数の凸条又は凹溝を備えることによって、薄板部材で構成されるカバー本体の強度を増すことができる。
【図面の簡単な説明】
【００１８】
【図１】本発明の一実施形態に係る洗浄カバーを示す平面図である。
【図２】図１に示した洗浄カバーを自転車に装着した状態を示す説明図である。
【図３】図１に示した洗浄カバーの自転車への装着方法を示す説明図である。
【図４】本発明の他の実施形態に係る洗浄カバーを示す平面図である。
【図５】図４に示した洗浄カバーを自転車に装着した状態を示す説明図である。
【図６】本発明の他の実施形態に係る洗浄カバーを示す平面図である。
【図７】図６に示した洗浄カバーの自転車への装着方法を示す説明図である。
【発明を実施するための形態】
【００１９】
以下、本発明の洗浄カバーの実施形態について、図面に基づいて詳述する。図１は、本発明の一実施形態に係る洗浄カバー１を示す平面図、図２は図１に示した洗浄カバー１を自転車２０に取り付けた状態を示す説明図である。
【００２０】
これら図１、図２に示すように、本実施形態に係る洗浄カバー１は、自転車２０のカセットスプロケット２２やチェーン２５、ディレイラー２６等（以下、これらを総称して「自転車部品」という。）を洗浄する際に、自転車２０を分解することなく洗浄することができる洗浄カバーであって、カバー本体２が扇形状をなす薄板部材で構成され、カバー本体２の弧部３と反対側に位置するカバー本体２の中心部４の近傍に、カバー本体２の一辺５から内側に向かって車軸挿通路６が形成されていることを特徴とする。
【００２１】
扇形状をなす薄板部材で構成されるカバー本体２において、薄板部材の材質は特に限定されず、紙や樹脂、金属等の何れであってもよい。紙製であれば使い捨ての洗浄カバー１として、自転車部品の洗浄後、洗浄カバー１をそのまま廃棄することができる。また、樹脂製や金属製であれば、繰り返し使用することができて経済的である。なお、本発明の洗浄カバーは、図２に示すように、自転車２０のホイール２１とカセットスプロケット２２との間に装着して使用するものであるため、紙製や樹脂製のものが自転車２０本体や自転車部品を傷つけることがほぼ無いため特に好ましい。
【００２２】
そして、本実施形態の洗浄カバー１に係るカバー本体２の弧部３と反対側に位置するカバー本体２の中心部４の近傍には、カバー本体２の一辺５から内側に向かって車軸挿通路６が形成されている。この車軸挿通路６は、自転車部品の洗浄時において図２に示すように、自転車２０のホイール２１とカセットスプロケット２２との間に装着する際、自転車２０の後輪２３の車軸２４を挿通するために形成されている。
【００２３】
より具体的には、まず図３（ａ）に示すように、スタンド１３に自転車２０を固定し、本実施形態の洗浄カバー１に係る弧部３を上方に位置させた状態で、後輪２３のホイール２１とカセットスプロケット２２との間に位置する車軸２４を車軸挿通路６に挿通する。そして、車軸挿通路６の終端部（最も奥の部分）に車軸２４が当接したら、図３（ｂ）に示すように、洗浄カバー１を反時計回りに回転させることによって、洗浄カバー１が所定の位置に装着されることとなる。
【００２４】
ここで、洗浄カバー１を所定の位置に装着するにあたって、洗浄カバー１に係る一辺５が、自然と他辺７より下方に位置するように装着されることが特に好ましい。図２に示すように、洗浄カバー１の一辺５が他辺７より下方に位置するように装着されることによって、自転車部品、特にカセットスプロケット２２や上側に位置するチェーン２５の洗浄時に、自転車２０のホイール２１や後輪２３を洗浄剤やそれによって除去された油汚れ等で汚してしまうおそれがない。
【００２５】
なお、洗浄カバー１を図２の状態に自然に装着する方法は特に限定されないが、例えば洗浄カバー１に係る一辺５側に重り（ウエイト）を予め配設して重量バランスを調整する、或いは一辺５の長さを他辺７の長さより長くすることによって、カバー本体２の一辺５側の面積を大きくすることによって一辺５側の重量を重くする、等の方法が挙げられる。
【００２６】
また、本実施形態の洗浄カバー１に係る車軸挿通路６には、図１（ｂ）に示すような、車軸挿通路６を閉鎖するための閉鎖片８を備えることが好ましい。図２に示すように、洗浄カバー１を車軸２４に装着した後、閉鎖片８によって車軸挿通路６を閉鎖することによって、自転車部品の洗浄中に洗浄カバー１が外れてしまうことを防止できると共に、車軸挿通路６から露出するホイール２１が洗浄剤等によって汚れてしまうことを防止できる。
【００２７】
なお、車軸挿通路６への閉鎖片８の取付方法としては、例えば図１に示すように、洗浄カバー１に係るカバー本体２及び閉鎖片８の所定の箇所にそれぞれ面ファスナー１２を配設しておく。そして、洗浄カバー１を自転車２０に装着後、車軸挿通路６の上から車軸挿通路６を覆うように閉鎖片８を面ファスナー１２で貼り付けることによって、容易に車軸挿通路６を閉鎖片８で閉鎖することができる。
【００２８】
更に、本実施形態の洗浄カバー１において、車軸挿通路６の終端部には、車軸挿通路６の幅より幅広の係止部９を備えることがより好ましい。この係止部９を車軸挿通路６の終端部に設けることによって、洗浄カバー１を自転車２０に装着した際、後輪２３の車軸２４が係止部９によって位置決めされるため、自転車部品の洗浄時に洗浄カバー１が位置ズレを起こしにくくなり、洗浄作業をより効率的に行うことができる。
【００２９】
以上のように、本発明の一実施形態に係る洗浄カバー１によると、自転車２０を分解することなく、ホイール２１や後輪２３を洗浄剤等で汚すことなく自転車部品の洗浄を容易に行うことができる。
【００３０】
以上、本発明の一実施形態に係る洗浄カバー１について詳述したが、本発明の洗浄カバーは上記の実施形態に限定されるものではない。本発明の他の実施形態として、例えば図４に示す洗浄カバー１ａのように、洗浄カバー１ａに係るカバー本体２の弧部３に沿って、汚れ受部１０が設けられてもよい。汚れ受部１０の形状、構造等は特に限定されないが、例えばＵ字溝のような態様が挙げられる。
【００３１】
本実施形態の洗浄カバー１ａを自転車２０にセットした状態を図５に示す。同図に示すように、汚れ受部１０を備える洗浄カバー１ａを使用することによって、自転車２０に係るカセットスプロケット２２等の自転車部品の洗浄時、洗浄剤や洗浄剤によって自転車部品から除去された汚れを汚れ受部１０で受けることができ、床面を汚すことがない。また、この汚れ受部１０に予めウエス等を敷き詰めておくことによって、洗浄カバー１ａに係るカバー本体２の表面を流れ落ちてきた洗浄剤等をウエスに吸収させることができるため、洗浄作業後の片付けの手間を大幅に軽減することができる。
【００３２】
また本発明の他の実施形態として、図６に示す洗浄カバー１ｂのように、洗浄カバー１ｂに係るカバー本体２の他辺７から内側に向かって車軸挿通路６が形成されてもよい。更に、この車軸挿通路６を閉鎖すべく、閉鎖片８ａがカバー本体２に回動自在に取り付けられてもよい。
【００３３】
本発明に係る閉鎖片は、図１に示した洗浄カバー１に係る面ファスナー１２による着脱式の他、スナップによる着脱式、洗浄カバーに係るカバー本体又は閉鎖片の何れかにガイド溝を設けた差し込み式等が挙げられるが、特に限定されるものではない。ここで、本実施形態の洗浄カバー１ｂに係る閉鎖片８ａのように、カバー本体２にピン等で回動自在に配設されていることによって、閉鎖片８ａを回動させるのみで車軸挿通路６の閉鎖を容易に行うことができると共に、閉鎖片８ａを紛失するおそれもない。
【００３４】
本実施形態の洗浄カバー１ｂを自転車２０に装着する方法を図７に示す。まず図７（ａ）に示すように、スタンド１３に自転車２０を固定し、本実施形態の洗浄カバー１ｂに係る他辺７に形成された車軸挿通路６に、後輪２３のホイール２１とカセットスプロケット２２との間に位置する車軸２４を挿通する。そして、車軸挿通路６の終端部に形成された係止部９に車軸２４を位置させた後、図７（ｂ）に示すように、洗浄カバー１ｂを反時計回りに回転させ、最後に閉鎖片８ａを回動させて車軸挿通路６を閉鎖することによって、洗浄カバー１ｂを所定の位置に装着することができる。
【００３５】
本実施形態の洗浄カバー１ｂによると、車軸挿通路６がカバー本体２の他辺７に形成されているため、洗浄カバー１ｂの装着時におけるカバー本体２の回転距離を、上記実施形態に係る洗浄カバー１や洗浄カバー１ｂに比べて短くすることができ、自転車２０への装着をより容易にすることができる。
【００３６】
また、車軸挿通路６を閉鎖するための閉鎖片が上記実施形態に係る閉鎖片８のような態様であれば、車軸挿通路６をカバー本体２の他辺７に設けた場合、カバー本体２の装着後に閉鎖片８を取り付ける際、自転車２０のフレーム等が邪魔となって取り付けにくくなる。しかし、本実施形態に係る閉鎖片８ａは回動させるのみで車軸挿通路６を閉鎖することができるため、車軸挿通路６をカバー本体２の他辺７に設けても、自転車２０のフレーム等の影響を殆ど受けることがなく、閉鎖片８ａによって容易に車軸挿通路６を閉鎖することができる。
【００３７】
以上、本発明の実施形態に係る洗浄カバーについて詳述したが、上記の実施形態に係る洗浄カバー１、１ａ、１ｂにおいて、カバー本体２の半径方向に沿って、複数の凸条１１又は凹溝を備える態様であることが好ましい。各実施形態に係る洗浄カバー１、１ａ、１ｂにおいて、カバー本体２に複数の凸条１１、或いは凹溝が形成されることによって、薄板部材で構成されるカバー本体２の強度を増すことができる。
【００３８】
以上、本発明の洗浄カバーの実施形態について詳述したが、上記の実施形態は本発明の技術的思想を実質的に限定するものと解してはならない。本発明はその要旨を逸脱しない範囲で、当業者の創意と工夫により、適宜に改良、変更又は追加をしながら実施できる。
【符号の説明】
【００３９】
１、１ａ、１ｂ：洗浄カバー
２：カバー本体
３：弧部
４：中心部
５：一辺
６：車軸挿通路
７：他辺
８、８ａ：閉鎖片
９：係止部
１０：汚れ受部
１１：凸条
１２：面ファスナー
１３：スタンド
２０：自転車
２１：ホイール
２２：カセットスプロケット
２３：後輪
２４：車軸
２５：チェーン
２６：ディレイラー
【図１】
2018192854.tif 000003
【図２】
2018192854.tif 000004
【図３】
2018192854.tif 000005
【図４】
2018192854.tif 000006
【図５】
2018192854.tif 000007
【図６】
2018192854.tif 000008
【図７】
2018192854.tif 000009